(57)【特許請求の範囲】
【請求項１】
複数のスイッチ付きコンセントを備え、
前記スイッチ付きコンセントのそれぞれは、
底面及び複数の側面で構成される筐体である第一ハウジングと、
上表面に複数の電極凸部が設けられており、前記第一ハウジングの前記複数の側面における対向する二つの側面を挿通する平板で長尺状の第一電極と、
電源プラグの第一栓刃を挟持するための第一挟持部と、前記第一ハウジングの内部に収納される部位に凹部が設けられており、前記第一ハウジングの前記複数の側面における前記第一電極に貫通されていない側面に係合することで前記第一電極と電気的に絶縁するように前記第一ハウジングの前記底面との間に前記第一電極を介在する第一本体部と、を備える第一導電体と、
前記第一ハウジングの内部に収納され、前記第一本体部の前記凹部に係合し、前記第一導電体と電気的に接続されるスイッチユニットと、
を備え、
前記スイッチユニットは第一端部及び第二端部を有し、前記第一端部及び第二端部はそれぞれ前記第一本体部の前記凹部の両側に設置され、前記スイッチユニットがオンになった場合、前記第二端部が下方向に移動することで、前記第一電極の前記上表面における前記電極凸部と接触し、前記第一端部が外部からの力を受け前記スイッチユニットがオフになった場合、前記凹部を支点として前記第二端部を上方向へ持ち上げることで、前記第二端部を前記第一電極の前記上表面における前記電極凸部から離し、
前記スイッチ付きコンセントのそれぞれは前記第一電極を共有し、前記第一電極はそれぞれの前記スイッチ付きコンセントの第一ハウジングを挿通することを特徴とするテーブルタップ。
【請求項２】
前記電源プラグの第二栓刃を挟持するための第二挟持部と、前記第一ハウジングの前記複数の側面における前記第一電極に貫通されていない側面に係合しており、第二電極と電気的に接続される第二本体部と、を有する第二導電体を更に備えることを特徴とする請求項１に記載のテーブルタップ。
【請求項３】
前記複数のスイッチ付きコンセントのそれぞれは、前記第一ハウジングに固設され、使用者の操作により前記スイッチユニットに外力を与えるためのスイッチモジュールを更に備えることを特徴とする請求項１に記載のテーブルタップ。
【発明の詳細な説明】
【技術分野】
【０００１】
本発明は、コンセント及びテーブルタップに関し、特に、給電をオンオフするスイッチを備えたスイッチ付きコンセント及びテーブルタップに関するものである。
【背景技術】
【０００２】
従来から、スイッチ付きテーブルタップ（又はスイッチ付きコンセント）は、スイッチユニットをハウジングの内部に保持し、栓刃を挟持する刃受け構造及び複数の共用電極を前記ハウジングの外部に設置する。前記共用電極は、更に導線を配線したり、或いは金属板を折り曲げたりして前記ハウジング内に挿通し、前記スイッチユニットと前記共用電極を電気的に接続することで、前記スイッチをオンすることでコンセントは刃受け構造により共用電極から給電を受けることが可能である。
【０００３】
しかし、上述の従来のテーブルタップ（又はスイッチ付きコンセント）を大量生産する場合、導線を配線したり、或いは金属板を折り曲げたいりするなどの設計において、相当な金属材料を消費するため、製造コストを下げることが難しい。そこで、導線を配線したり、或いは金属板を折り曲げたりするなどの設計をしなくても、スイッチユニットと共用電極を同様に電気的に接続することができるスイッチ付きコンセント及びテーブルタップが極めて期待されている。
【発明の概要】
【発明が解決しようとする課題】
【０００４】
本発明は上記事由に鑑みて成されたものであり、その目的は、スイッチ付きコンセント及びテーブルタップを提供することにあり、特に、前記テーブルタップは複数のスイッチ付きコンセントを備え、スイッチを保持する前記スイッチ付きコンセントのハウジングには共用電極が挿通され、前記スイッチにおける導電部材をシーソー形式にし、共用電極と選択的に接触又は離脱することで、コンセントをオンオフすることができるスイッチ付きコンセント及びテーブルタップを提供することにある。
【課題を解決するための手段】
【０００５】
本発明は、第一ハウジング、第一導電体及びスイッチユニットを備えるスイッチ付きコンセントを提供する。前記第一ハウジングは底面及び側面を有し、前記側面には第一電極が挿通される。前記第一ハウジングの内部にある前記第一電極は長尺状であり、前記第一ハウジングの底面の上方に設置される。前記第一導電体は第一挟持部（例えば、刃受け部）及び第一本体部を有する。前記第一挟持部は電源プラグの第一栓刃を挟持するためのものである。前記第一本体部は凹部を有し、前記第一ハウジングの側面に係合することで前記第一電極の上方に設置される。前記第一電極は前記凹部と前記底面との間に位置する。前記スイッチユニットは第一端部及び第二端部を有し、前記第一ハウジングの内部に保持され前記凹部と係合することで前記第一導電体と電気的に接続される。前記第一端部及び前記第二端部はそれぞれ前記凹部の両側に位置し、前記スイッチユニットがオンになった場合、前記第二端部が下方向に移動することで、前記第一電極の上表面と接触する。前記第一端部が外部からの力を受け前記スイッチユニットがオフになった場合、前記凹部を支点として前記第二端部を上方向へ持ち上げることで、前記第二端部を前記第一電極の上表面から離す。
【発明の効果】
【０００６】
本発明に係るスイッチ付きコンセント及びテーブルタップによれば、共用電極をコンセントに挿通することで、導線を配線したり、或いは金属板を折り曲げたりするなどの設計をしなくても、スイッチユニットと共用電極を電気的に接続することができる。これにより、金属材料の使用量を抑え、製造コストをより削減することができる。
【図面の簡単な説明】
【０００７】
【図１】本発明の実施例１に係るスイッチ付きコンセントを示す分解斜視図である。
【図２ａ】本発明の実施例１に係るスイッチ付きコンセントを示す背面斜視図である。
【図２ｂ】本発明の実施例１に係るスイッチ付きコンセントを示す正面斜視図である。
【図３ａ】本発明の実施例２に係るスイッチ付きコンセントを示す断面図であり、スイッチユニットがオフされている状態を示す。
【図３ｂ】本発明の実施例２に係るスイッチ付きコンセントを示す断面図であり、スイッチユニットがオンされている状態を示す。
【図４ａ】本発明の実施例３に係るテーブルタップを示す斜視図である。
【図４ｂ】本発明の実施例３に係るテーブルタップを示す平面図である。
【発明を実施するための形態】
【実施例】
【０００８】
＜実施例１＞
図１と図２を参照して説明する。図１は本発明の実施例１に係るスイッチ付きコンセントを示す分解斜視図である。図２は本発明の実施例１に係るスイッチ付きコンセントを示す斜視図であり、図２ａは背面斜視図であり、図２ｂは正面斜視図である。図１、図２に示すように、本実施例に係るスイッチ付きコンセント１は、第一ハウジング１０、第一導電体１２、スイッチユニット１４、第二導電体１６、スイッチモジュール１８及び第一電極２０を備える。以下に、スイッチ付きコンセント１における各要件の構成及び機能について詳しく説明する。
【０００９】
第一ハウジング１０は底面１０ａ及び側面１０ｂを有する。側面１０ｂには第一電極２０が挿通される。第一電極２０は長尺状であり、第一ハウジング１０の底面１０ａの上方に設置される。第一ハウジング１０は第一導電体１２、第二導電体１６、スイッチモジュール１８及び第一電極２０を係合し、スイッチユニット１４を保持又は収納する。第一電極２０は第一ハウジング１０の側面１０ｂにあるスリット１０ｃを介して第一ハウジングを挿通する。ここで、第一ハウジング１０は更に第一導電体１２と第一電極２０との間に設置される隔離部材（例えば、仕切り板）１０２を備える。隔離部材１０２は第一導電体１２及び第一電極２０を電気的に隔離する。第一導電体１２は隔離部材１０２の上表面に接着し、第一電極２０が隔離部材１０２の下表面に接着してもよい。第一導電体１２と第一電極２０を絶縁させるように、隔離部材１０２は絶縁材料で製造することが好ましい。一方、第一導電体１２が第一ハウジング１０に充分に固定され、第一導電体１２が第一電極２０の上方に位置し且つある程度の距離を保って互いに接触しないように構成すれば、もちろん、第一ハウジングは隔離部材１０２を備えなくてもよい。
【００１０】
第一ハウジング１０及び隔離部材１０２は絶縁材料で一体成型してもよい。前記絶縁材料は、例えば、プラスチック、ゴム又はその他の適当な材料であればよい。更に、第一ハウジング１０の側面１０ｂの一部を着脱可能な側蓋１０４としてもよい。この場合、側蓋１０４を開けるだけで、第一導電体１２、スイッチユニット１４、第二導電体１６、スイッチモジュール１８及び第一電極２０を容易に第一ハウジング１０に装着することが可能となる。上述の部材を第一ハウジング１０に装着した後、側蓋１０４を第一ハウジング１０に固定する。外観から見れば、第一ハウジング１０には第一電極２０が挿通され、第一導電体１２及び第二導電体１６が第一ハウジング１０の側面に固定され、スイッチモジュール１８が第一ハウジング１０の上部に設置される。
【００１１】
第一導電体１２は第一挟持部（例えば、刃受け部）１２２及び第一本体部１２４を有する。第一挟持部１２２は電源プラグの第一栓刃（図示せず）を挟持するためのものである。第一本体部１２４は凹部１２４ａを有し、第一ハウジング１０の側面１０ｂに係合することで、第一電極２０の上方に設置される。第一電極２０は凹部１２４ａと底面１０ａとの間に位置する。電源プラグの第一栓刃が第一方向へ第一挟持部１２２に挿入される場合、第一本体部１２４の延伸方向は前述第一方向と直交する。例えば、第一挟持部１２２は直交方向（即ち、垂直方向）に第一栓刃を挟持する場合、使用者が電源プラグを抜き差しする際には、第一挟持部１２２は垂直方向に大きな力を受ける。しかしながら、第一本体部１２４は、垂直方向に受ける応力を分散させるように、更に水平方向に延伸される面を持つことが可能である。第一本体部１２４は水平方向に延伸して第一ハウジング１０に挿入し、隔離部材１０２の上表面に接触することで、第一本体部１２４が垂直方向に応力を受ける面積が大きくなるため、第一本体部１２４は第一挟持部１２２から受ける垂直方向への応力を分散することにより、変形し難くなる。
【００１２】
スイッチユニット１４は第一端部１４ａ及び第二端部１４ｂを有し、第一ハウジング１０の内部に収納され、凹部１２４ａと係合することで、第一導電体１２と電気的に接続される。第一端部１４ａ及び第二端部１４ｂはそれぞれ凹部１２４ａの両側に位置する。スイッチユニット１４は凹部１２４ａに嵌合されており、凹部１２４ａを支点として、てこの原理を利用することで、第一端部１４ａを第二端部１４ｂと共に連動させる。スイッチユニット１４がオンになった際、第二端部１４ｂが下方向に移動し、第一電極２０の上表面と接触することで、第一導電体１２及び第一電極２０を導通させる。一方、第一端部１４ａが外部からの力を受けることでスイッチユニット１４がオフになった際、外部からの力が凹部１２４ａを支点として、第二端部１４ｂを上方向へ持ち上げることで、第二端部１４ｂを第一電極２０の上表面から離させる。
【００１３】
また、第一本体部１２４の凹部１２４ａは隔離部材１０２の上表面に設置されるため、第一電極２０とは一定の段差を有する。そこで、スイッチユニット１４には斜面を設けることで、第二端部１４ｂを第一電極２０とより接触させやすいことが可能である。更に、第二端部１４ｂ及び第一電極２０の接触をより安定させるために、スイッチユニット１４の第二端部１４ｂにはスイッチ凸部１４２を設けてもよい。スイッチ凸部１４２はスイッチユニット１４の第二端部１４ｂにあり、第一電極に接触するためのものである。一方、第一電極２０には更に電極凸部２０２を設けてもよい。電極凸部２０２は第一電極２０の表面にあり、スイッチユニット１４のスイッチ凸部１４２に接触するためのものである。
【００１４】
第二導電体１６は第二挟持部１６２及び第二本体部１６４を有する。第二挟持部１６２は電源プラグの第二栓刃（図示せず）を挟持するためのものである。第二本体部１６２は第一ハウジング１０に係合され、第二導電体１６は第二電極２２と電気的に接続される。第二挟持部１６２は第一挟持部１２２と平行に配置することで、電源プラグの２つの栓刃を同時に挿入させることが可能となる。ここで、第二本体部１６４は第二導電体１６を第一ハウジング１０に補助的に固定するのに用いられる。また、第二本体部１６４は、第二挟持部１６２からの垂直方向への応力を分散させるために、その一部を折り曲げることで、第二本体部１６４を変形させ難くなるようにしてもよい。
【００１５】
スイッチモジュール（例えば、ボタンモジュール）１８は第一ハウジングに固設され、使用者からの動作により、スイッチユニット１４に外力を与える。スイッチモジュール１８は更にばね１８２を備えてもよい。ばね１８２はスイッチユニット１４上に取り付けられ、おおよそ凹部１２４ａの周囲に位置する。使用者がスイッチモジュール１８を操作した（例えば、ボタンを押した）際、ばね１８２は異なる方向へ伸ばすことにより、スイッチユニット１４を連動させる。スイッチ付きコンセント１のスイッチモジュール１８は更に発光モジュール１８４を備えてもよい。発光モジュール１８４は第一導電体１２と第二導電体１６との間に設置され、スイッチユニット１４がオンされた際に光を発する（即ち点灯又は点滅する）。ここで、本発明において、発光モジュールの設置位置については特に限定されておらず、例えば、スイッチモジュール１８の透明なハウジングを通して光を出射させるように発光モジュール１８４をスイッチモジュール１８内に設置してもよく、外部照明を提供するように発光モジュール１８４を第一ハウジング１０の外側に設置してもよい。
【００１６】
スイッチモジュール１８及びスイッチユニット１４のより詳しい作動方式に関することは下記の実施例２に記載される。
【００１７】
＜実施例２＞
図１、図３ａ、図３ｂを参照して説明する。図３は本発明の実施例２に係るスイッチ付きコンセントを示す断面図であり、図３ａはスイッチユニットがオフされている状態を示し、図３ｂはスイッチユニットがオンされている状態を示す。図１、図３ａ、図３ｂに示すように、ばね１８２はおおよそ凹部１２４ａの周囲に取り付けられる。スイッチユニット１４がオフされることにより、第一導電体１２と第一電極２０を導通させない場合、使用者がスイッチモジュール１８を押すと共にばね１８２を連動させることで、ばね１８２をスイッチユニット１４の第一端部１４ａに向かって伸ばす。スイッチユニット１４は、ばねの変形による力が第一端部１４ａに付勢する際、凹部１２４ａを支点として、てこの原理で第二端部１４ｂを持ち上げることにより、スイッチ凸部１４２を第一電極２０の電極凸部２０２から離させる。
【００１８】
一方、スイッチユニット１４がオンされることにより、第一導電体１２と第一電極２０を導通させる場合、使用者がスイッチモジュール１８を押すと共にばね１８２を連動させることで、ばね１８２をスイッチユニット１４の第二端部１４ｂに向かって伸ばす。スイッチユニット１４は、ばねの変形による力が第二端部１４ｂに付勢する際、凹部１２４aを支点として、スイッチ凸部１４２を第一電極２０の電極凸部２０２に接触させる。これにより、使用者がスイッチモジュール１８を操作することで、スイッチユニット１４を制御することができる。もちろん、本発明においては、ばね１８２に限られず、スイッチモジュール１８とスイッチユニット１４を連動させることができれば、所属する技術分野において通常知識を有する者はばね１８２をあらゆる構成要素に替えることができる。
【００１９】
本発明のスイッチ付きコンセント１は、単独で使用するだけでなく、複数のスイッチ付きコンセント１を組み合わせることでテーブルタップとすることも可能である。スイッチ付きコンセント及びテーブルタップのより詳しい接続関係に関することは下記の実施例３に記載される。
【００２０】
＜実施例３＞
図１、図４ａ、図４ｂを参照して説明する。図４は本発明の実施例３に係るテーブルタップを示す図であり、図４ａは斜視図であり、図４ｂは平面図である。図１、図４ａ、図４ｂに示すように、本発明に係るテーブルタップ３は複数のスイッチ付きコンセント１を並列して構成されたものである。各スイッチ付きコンセント１の第一導電体１２はそれぞれスイッチユニット１４を介して同じ第一電極２０と電気的に接続され、第二導電体１６は同じ第二電極２２と電気的に接続される。また、本実施例のスイッチ付きコンセント１は実施例１と同じであるため、ここでは、その詳細な説明を省略する。
【００２１】
また、第一電極２０及び第二電極２２はそれぞれ配線（例えば、銅線など）により一般的なコンセント（例えば、室内のコンセント）からの交流電力を受給することが可能である。例えば、第一電極２０は一般的なコンセントのライン（Ｌ）に接続し、第二電極２２はニュートラル（Ｎ）に接続することが可能である。また、本発明においては、日常で使用する３極プラグに対応するために、第一電極２０及び第二電極２２の他に、更にアース（Ｅ）を備えてもよい。
【００２２】
また、図示するように、第一電極２０はそれぞれのスイッチ付きコンセント１の第一ハウジング１０を挿通することにより、本発明に係るテーブルタップ３は導線を配線したり、或いは金属板を折り曲げたりするなどの設計をしなくても、長尺状の金属材料を第一電極２０とすることができるため、金属材料の浪費と加工時間を抑えることが可能となる。更に、導線を配線したり、或いは金属板を折り曲げたりするなどの設計をしないため、導電する際、電流経路をより安定化させ、導線が細すぎたり或いは金属板を折り曲げたりするなどの設計による発熱（又は過熱）や寿命への影響を抑える効果もある。
【００２３】
上述したように、本発明に係るスイッチ付きコンセント及びテーブルタップによれば、電極をコンセントに挿通し、スイッチユニットがシーソー形式により選択的に第一導電体と第一電極を導通させることで、導線を配線したり、或いは金属板を折り曲げたりするなどの設計をする必要がない。これにより、本発明は、金属材料の使用量を抑え、製造コストをより削減することができる。更に、本発明において、第一導電体の第一本体部は電源プラグの抜き差し方向と異なる方向に平面を有するため、電源プラグを抜き差しする際にかかる応力を分散させることで、本発明に係るスイッチ付きコンセント及びテーブルタップの耐用度及び安定度を高めることが可能となる。
【００２４】
上述において、本発明の説明の利便性のために最良の実施例を挙げて説明したが、実施例は本発明の請求の範囲を限定するものではなく、本発明に基づく本発明の要旨を逸脱しないあらゆる変更は本発明の特許請求の範囲に含まれる。
【符号の説明】
【００２５】
１        スイッチ付きコンセント
１０      第一ハウジング
１０ａ    底面
１０ｂ    側面
１０ｃ    スリット
１０２    隔離部材
１０４    側蓋
１２      第一導電体
１２２    第一挟持部
１２４    第一本体部
１２４ａ  凹部
１４      スイッチユニット
１４ａ    第一端部
１４ｂ    第二端部
１４２    スイッチ凸部
１６      第二導電体
１６２    第二挟持部
１６４    第二本体部
１８      スイッチモジュール
１８２    ばね
１８４    発光モジュール
２０      第一電極
２０２    電極凸部
２２      第二電極
３        テーブルタップ
【図１】
0005753507.tif 000002
【図２ａ】
0005753507.tif 000003
【図２ｂ】
0005753507.tif 000004
【図３ａ】
0005753507.tif 000005
【図３ｂ】
0005753507.tif 000006
【図４ａ】
0005753507.tif 000007
【図４ｂ】
0005753507.tif 000008